(57)【要約】【課題】注文情報と郵送されてきた写真プリントの整理、照合を迅速、かつ確実に行なうことができ、作業の精度と効率を向上することが可能である。【解決手段】ネットワーク１に接続され、送付される写真画像からデザインするデザイン注文及びデザインに基づくプリント注文を行なうユーザ端末３と、ネットワーク１に接続され、デザイン注文及びプリント注文の受付管理を行なう受発注サーバ２とを有するプリント注文システムであり、デザイン注文情報に基づき写真送付容器例えば写真送付封筒５１に、写真画像の送付先の宛名５１ａ及び注文情報５１ｂを印字するプリンタ５０を備える。【選択図】図３
2005122544.tif 000002
【特許請求の範囲】
【請求項１】
ネットワークに接続され、送付される写真画像からデザインするデザイン注文及び前記デザインに基づくプリント注文を行なうユーザ端末と、  前記ネットワークに接続され、前記デザイン注文及び前記プリント注文の受付管理を行なう受発注サーバと、
を有するプリント注文システムであり、
前記デザイン注文情報に基づき写真送付容器に、写真画像の送付先の宛名及び注文情報を印字するプリンタを備えることを特徴とするプリント注文システム。    
【請求項２】
ネットワークに接続され、送付される写真画像からデザインするデザイン注文及び前記デザインに基づくプリント注文を行なうユーザ端末と、  前記ネットワークに接続され、前記デザイン注文及び前記プリント注文の受付管理を行なう受発注サーバと、
を有するプリント注文システムであり、
前記デザイン注文に基づいてデザイン作成の確認またはデザインに基づくプリント注文に基づくプリント作成の少なくとも一方を行なった後に、写真返却容器に、写真画像の返却先の宛名を印字するプリンタを備えることを特徴とするプリント注文システム。
【請求項３】
送付される写真画像からデザインするデザイン注文及びデザインに基づくプリント注文を行ない、このデザイン注文に基づきデザインを作成し、このデザインに基づくプリントをプリント注文に基づき作成するプリント注文方法であり、
前記デザイン注文情報に基づき写真送付容器に、写真画像の送付先の宛名及び注文情報を印字し、前記注文したユーザに前記写真送付容器を送付することを特徴とするプリント注文方法。
【請求項４】
送付される写真画像からデザインするデザイン注文及びデザインに基づくプリント注文を行ない、このデザイン注文に基づきデザインを作成し、このデザインに基づくプリントをプリント注文に基づき作成するプリント注文方法であり、
前記デザイン注文に基づいてデザイン作成の確認またはデザインに基づくプリント注文に基づくプリント作成の少なくとも一方を行なった後に、写真返却容器に、写真画像の返却先の宛名を印字し、前記写真画像を封入して返却することを特徴とするプリント注文方法。
【発明の詳細な説明】
【技術分野】
【０００１】
この発明は、例えばネットワークを利用したポストカード等の注文に用いるプリント注文システム及びプリント注文方法に関する。
【背景技術】
【０００２】
従来より、例えばポストカードなどの作成では、まずユーザのデザイン注文に基づいて作業者が文字や画像等の合成を行なってデザインを作成し、このデザインの仕上がりを確認してプリント注文を行なっている（例えば、特許文献１，２）。
【特許文献１】特開２００１−３４４３１３号公報
【特許文献２】特開２００３−８８７２号公報
【発明の開示】
【発明が解決しようとする課題】
【０００３】
このように、ポストカードなどがデザインに基づいてプリントで作成されるような場合に、デザイン作成の原版となるユーザの写真画像をプリントしたものを郵送により受け付けることがある。その際、Ｗｅｂの注文情報と郵送されてきた写真プリントの整理、照合、デジタイズ、アップロードを作業者が手作業により行なっていた。
【０００４】
特に、Ｗｅｂの注文データと郵送されてきた写真プリントの整理、照合では、郵送されてきた封筒にユーザの氏名が記載されている程度であり、写真プリントの整理や照合に手間取ったり、氏名が同じ場合もあり間違いが生じることがある。
【０００５】
この発明は、かかる点に鑑みてなされたもので、注文情報と郵送されてきた写真プリントの整理、照合を迅速、かつ確実に行なうことができ、作業の精度と効率を向上することが可能なプリント注文システム及びプリント注文方法を提供することを目的としている。
【課題を解決するための手段】
【０００６】
前記課題を解決し、かつ目的を達成するために、この発明は、以下のように構成した。
【０００７】
請求項１に記載の発明は、ネットワークに接続され、送付される写真画像からデザインするデザイン注文及び前記デザインに基づくプリント注文を行なうユーザ端末と、
前記ネットワークに接続され、前記デザイン注文及び前記プリント注文の受付管理を行なう受発注サーバと、
を有するプリント注文システムであり、
前記デザイン注文情報に基づき写真送付容器に、写真画像の送付先の宛名及び注文情報を印字するプリンタを備えることを特徴とするプリント注文システムである。
【０００８】
請求項２に記載の発明は、ネットワークに接続され、送付される写真画像からデザインするデザイン注文及び前記デザインに基づくプリント注文を行なうユーザ端末と、
前記ネットワークに接続され、前記デザイン注文及び前記プリント注文の受付管理を行なう受発注サーバと、
を有するプリント注文システムであり、
前記デザイン注文に基づいてデザイン作成の確認またはデザインに基づくプリント注文に基づくプリント作成の少なくとも一方を行なった後に、写真返却容器例えば写真返却容器に、写真画像の返却先の宛名を印字するプリンタを備えることを特徴とするプリント注文システムである。
【０００９】
請求項３に記載の発明は、送付される写真画像からデザインするデザイン注文及びデザインに基づくプリント注文を行ない、このデザイン注文に基づきデザインを作成し、このデザインに基づくプリントをプリント注文に基づき作成するプリント注文方法であり、
前記デザイン注文情報に基づき写真送付容器に、写真画像の送付先の宛名及び注文情報を印字し、前記注文したユーザに前記写真送付容器を送付することを特徴とするプリント注文方法である。
【００１０】
請求項４に記載の発明は、送付される写真画像からデザインするデザイン注文及びデザインに基づくプリント注文を行ない、このデザイン注文に基づきデザインを作成し、このデザインに基づくプリントをプリント注文に基づき作成するプリント注文方法であり、
前記デザイン注文に基づいてデザイン作成の確認またはデザインに基づくプリント注文に基づくプリント作成の少なくとも一方を行なった後に、写真返却容器例えば写真返却容器に、写真画像の返却先の宛名を印字し、前記写真画像を封入して返却することを特徴とするプリント注文方法である。
【発明の効果】
【００１１】
前記構成により、この発明は、以下のような効果を有する。
【００１２】
請求項１に記載の発明では、デザイン注文情報に基づき写真送付容器例えば写真送付容器に、写真画像の送付先の宛名及び注文情報を印字することで、この印字された写真送付容器をデザイン注文を行なうユーザに送付すれば、ユーザは専用の写真送付容器に写真プリントを入れて注文できる。この専用の写真送付容器には写真画像の送付先の宛名及び注文情報が印字されているので、注文情報と郵送されてきた写真プリントの整理、照合を迅速、かつ確実に行なうことができ、作業の精度と効率を向上することができる。
【００１３】
請求項２に記載の発明では、デザイン注文に基づいてデザイン作成の確認またはデザインに基づくプリント注文に基づくプリント作成の少なくとも一方を行なった後に、写真返却容器例えば写真返却容器に、写真画像の返却先の宛名を印字し、この写真返却容器を用いて間違いなくユーザに写真プリントを返却することができる。
【００１４】
請求項３に記載の発明では、デザイン注文情報に基づき写真送付容器例えば写真送付容器に、写真画像の送付先の宛名及び注文情報を印字し、注文したユーザに写真送付容器を送付することで、ユーザは専用の写真送付容器に写真プリントを入れて注文できる。この専用の写真送付容器には写真画像の送付先の宛名及び注文情報が印字されているので、注文情報と郵送されてきた写真プリントの整理、照合を迅速、かつ確実に行なうことができ、作業の精度と効率を向上することができる。
【００１５】
請求項４に記載の発明では、デザイン注文に基づいてデザイン作成の確認またはデザインに基づくプリント注文に基づくプリント作成の少なくとも一方を行なった後に、写真返却容器例えば写真返却容器に、写真画像の返却先の宛名を印字し、この写真返却容器を用いて間違いなくユーザに写真プリントを返却することができる。
【発明を実施するための最良の形態】
【００１６】
以下、この発明のプリント注文システム及びプリント注文方法の実施の形態について説明するが、この発明は、この実施の形態に限定されない。また、この発明の実施の形態は、発明の最も好ましい形態を示すものであり、この発明の用語はこれに限定されない。
【００１７】
図１はプリント注文システム及びプリント注文方法を示す図である。図１において、ネットワーク１に、受発注サーバ２、ユーザ端末３、作業者端末４、プリント端末５が接続され、それぞれネットワーク１を介して通信可能となっている。
【００１８】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００１９】
受発注サーバ２は、ネットワーク１を介し、デザイン注文の受付、デザイン注文に基づきデザイン作成作業の発注及び受発注管理を行なうと共に、デザインに用いる画像閲覧、画像保管、顧客情報管理など、ネットワーク画像サービスを提供可能な機能を有する。
【００２０】
ユーザ端末３は、Ｗｅｂ閲覧が可能なパーソナルコンピュータ、携帯情報端末（ＰＤＡ）、携帯電話等で文字情報の送受信が可能な電子機器端末であればよい。
【００２１】
このユーザ端末３では、デザイン決定情報を入力し、デザイン注文情報の入力とプリント注文情報の入力を連続して行なう。このデザイン注文及びプリント注文を、図２及び図３に示す。
【００２２】
プリント端末５は、例えばラボ等に配置され、受発注サーバ２を介してプリント注文の受付、プリント作成作業の管理などを行うことができ、プリンタ等出力装置と接続され、ユーザ端末３にて入力されたプリント注文情報に基づきプリントすることができる。
【００２３】
作業者端末４は、受発注サーバ２を介してデザイン注文の受付を行い、画像編集画面上で、デザイン注文情報に基づきデザイン作成作業を行うものであり、画像の切り抜き、色情報の補正、文字情報の入力、レイアウト、不要物の削除などの作業を行うことができる。また、作成されたデザインは作業者端末４から受発注サーバ２へ送信することができる。
【００２４】
この実施の形態では、ユーザ端末３によりデザイン注文情報の入力とプリント注文情報の入力を連続して行ない、デザイン注文に基づいて作成されたデザインを確定する時に、プリント注文情報の確定を行なう。このように、ユーザはデザイン注文時に後で発生するプリントの料金や仕上がり日時等がわかり、デザイン注文時にプリントの間違い防止や料金確認等が可能である。また、例えばポストカードなどを生産する生産者は、デザイン注文時に、デザインに基づくプリントの枚数や種類がわかるために、前もって材料や人員などの手配ができ、生産効率が向上する。
【００２５】
なお、デザイン注文情報の入力とプリント注文情報の入力は、連続であれば順序はどのようでもよく、デザイン注文情報の入力が先でもよければ、プリント注文情報の入力が先でもよいし、同時に入力させるようにしてもよい。また、デザイン注文情報の入力とプリント注文情報の入力の間に一連性を損なわない範囲で別の動作を挟んでもよい。
【００２６】
また、ここでいうプリント注文情報の確定とは、入力された注文情報がユーザ端末からは変更できない状態になることを表し、プリント注文情報が受発注サーバ２からプリント端末５へプリント注文情報が送信されるか、または受発注サーバ２からプリント端末５へ、予めプリント端末に送信されたプリント注文情報を確定するプリント注文確定情報が送信される。
【００２７】
また、デザインを確定する時に、プリント注文情報を変更可能であり、例えばプリントの種類や枚数を実際の使用状況に応じて対応することができる。また、プリント注文情報を変更しない場合には、デザイン注文情報を入力した時に入力したプリント注文情報で確定される。
【００２８】
このデザイン注文情報の入力では、予め記憶された少なくとも入力情報によって変更されるテンプレート情報を有するデザインテンプレートを選択する。デザインテンプレートは、受発注サーバ２に予めカテゴリ（結婚、誕生、転居）毎に用意されている。ユーザ端末３のキーボード等の情報入力手段３ａによりデザインテンプレートに表示される情報を入力し、受発注サーバ２の情報加工手段２ａが入力情報をテンプレート情報に応じて加工し、デザイン注文を行なう。
【００２９】
次に、ユーザ端末３を用いて行なうデザイン注文のフローと、デザイン確認及びプリント注文のフローを図２及び図３に示す。図４は写真送付封筒を示す図、図５は写真返却封筒を示す図である。
【００３０】
なお、図２で示されるデザイン注文のフローとデザイン確認及びプリント注文のフローは、あくまでもこの発明の１形態であり、各ステップの順序が前後されてもよいし、各ステップの間に別のステップが挿入されていてもよい。
【００３１】
まず、デザイン注文のフローを図２（ａ）に示す。
［ステップａ１］
まず、ユーザは、ユーザ端末３からデザイン注文時に、年賀、結婚、誕生、転居等からカテゴリの選択を行なう。このカテゴリ選択では、年賀、結婚、誕生、転居等のカテゴリ毎に予め複数のデザインテンプレートが用意されている。
［ステップａ２］
ユーザ端末３には、カテゴリを選択したデザイン選択画面に複数のデザインテンプレートが表示されており、この複数のデザインテンプレートの内からいずれか希望するデザインテンプレートを選択する。
［ステップａ３］
選択されたデザインテンプレートに入れるデザイン注文情報を入力する。デザイン注文情報は、例えばカラー、タイトルフォント、オリジナルコメント、デザイン面に記載する個人情報である。デザイン面に記載する個人情報には、例えば差出人情報、その他の情報、必須項目がある。
［ステップａ４］
ユーザ端末３にデザイン、選択画像、印字内容を表示することで、デザイン注文の確認を行なう。
［ステップａ５］
ユーザ端末３のクレジットカード情報入力画面において、デザイン料金、デザイン完成予定日の表示で確認し、クレジットカード情報を入力する。デザイン料金の支払いは、クレジットカードで行なう。
［ステップａ６］
はがき種類、枚数を入力し、このはがき種類・枚数入力によって料金が表示される。
［ステップａ７］
ユーザ端末３のプリント注文料金確認画面において、プリント料金一覧を表示し、プリント注文料金を確認する。
［ステップａ８］
ユーザ端末３の受取・支払い方法選択画面において、受取方法、支払い方法を選択する。受取方法には、店頭と配送があり、支払い方法には、店舗支払いとクレジットカードがある。
［ステップａ９］
受取方法で店頭が選択されると、写真屋、コンビニ等から最寄りの取扱店を選択する。
［ステップａ１０］
受取方法で配送が選択されると、送付先・クレジットカード情報入力画面において、送付先、クレジットカード情報を入力する。
［ステップａ１１］
店舗選択または送付先・クレジットカード情報入力が行なわれると、プリント注文最終確認画面において、デザイン、選択画像、印字内容、デザイン料金、デザイン完成予定日、プリント料金（受取方法、支払方法、送付先、お渡し予定日）、料金一覧が表示され、これによりプリント注文の最終確認を行なう。
［ステップａ１２］
ユーザ端末３のデザイン注文完了画面において、デザイン注文番号を表示してデザイン注文が終了する。
【００３２】
プリント端末５では、図３に示すように、ユーザ端末３からデザイン注文が行なわれ、デザイン注文情報をダウンロードすると、プリンタ５０によってデザイン注文情報に基づき、写真送付容器例えば写真送付封筒５１に、写真画像の送付先の宛名５１ａ及び注文情報５１ｂを印字する。この実施の形態では、印字する注文情報５１ｂとして、写真枚数５１ｂ１、Ｗｅｂ注文日５１ｂ２、注文番号５１ｂ３、注文者の住所氏名５１ｂ４としているがこれに限定されない。
【００３３】
このような印字を行なった写真送付封筒５１は、ユーザに送付され、ユーザは写真送付封筒５１に写真プリント６０を入れて送付すると、写真送付封筒５１が送付先の宛名５１ａの生産現場の場所に送られる。
【００３４】
生産現場では、注文情報と郵送されてきた写真プリント６０の整理、照合を行ない、作業者端末４に接続されたスキャナ５２によって写真プリント６０をスキャニングし、デザイン注文に基づきデザインを作成してアップロードする。
【００３５】
このように、デザイン注文情報に基づき写真送付封筒５１に、写真画像の送付先の宛名５１ａ及び注文情報５１ｂを印字することで、この印字された写真送付封筒５１をデザイン注文を行なうユーザに送付すれば、ユーザは専用の写真送付封筒５１に写真プリント６０を入れて注文できる。この専用の写真送付封筒５１には写真画像の送付先の宛名５１ａ及び注文情報５１ｂが印字されているので、注文情報と郵送されてきた写真プリント６０の整理、照合を迅速、かつ確実に行なうことができ、作業の精度と効率を向上することができる。
【００３６】
次に、デザイン確認及びプリント注文のフローを図２（ｂ）に示す。
［ステップｂ１］
ユーザ端末３のデザイン注文情報画面において、最新の完成画像、選択されたデザインテンプレート、メッセージ、デザイン面に記載する個人情報、使用する画像等の確認を行なう。
【００３７】
作成されたデザインに問題がある場合には、修正画面ボタンをクリックしてステップｂ２へ移行する。注文承認ボタンをクリックすると、デザインが承認され、プリント注文最終確認画面を開く。
［ステップｂ２］
修正画面ボタンをクリックすると、図示しない修正画面が開き、デザイン修正情報を入力する。
［ステップｂ３］
プリント注文情報を変更する場合は、注文変更ボタンをクリックすると、はがき種類・枚数入力画面を開く。
［ステップｂ４］
はがき種類・枚数入力画面において、はがき種類と枚数を入力して変更し、プリント注文料金確認画面を開く。
［ステップｂ５］
プリント注文料金確認画面において、はがき種類、枚数を確認し、問題がないと次の受取・支払い方法選択画面を開く。
［ステップｂ６］
受取・支払い方法選択画面において、受取方法と支払い方法の選択を行なう。［ステップｂ７］
受取方法で店頭受取が選択されると、店頭選択画面が開き、写真屋またはコンビニ等の選択が行なわれる。
［ステップｂ８］
受取方法で配送が選択されると、送付先・クレジットカード情報入力画面が開き、送付先・クレジットカード情報を入力する。そして、ステップｂ３へ移行し、プリント注文最終確認画面を開く。
［ステップｂ９］
プリント注文最終確認画面において、注文ボタンをクリックするとプリント注文番号を表示してプリント注文を終了する。
【００３８】
このように、ユーザはユーザ端末３から確認と指示を行ない、プリント端末５では、デザイン注文に基づいてデザイン作成の確認またはデザインに基づくプリント注文に基づくプリント作成の少なくとも一方を行なった後に、プリンタ５０によって写真返却封筒５３に、写真画像の返却先の宛名５３ａを印字する。この写真返却封筒５３に写真プリント６０を入れて間違いなくユーザに写真プリント６０を返却することができる。
【産業上の利用可能性】
【００３９】
注文情報と郵送されてきた写真プリントの整理、照合し、デザイン注文に基づきデザインを作成し、このデザインに基づくプリントを作成するプリント注文し、例えばポストカード等のプリントを作成する注文に用いることができる。
【図面の簡単な説明】
【００４０】
【図１】プリント注文システム及びプリント注文方法を示す図である。
【図２】デザイン注文のフローと、デザイン確認及びプリント注文のフローである。
【図３】プリント注文のステータスを示す図である。
【図４】写真送付封筒を示す図である。
【図５】写真返却封筒を示す図である。
【符号の説明】
【００４１】
１  ネットワーク
２  受発注サーバ
３  ユーザ端末
４  作業者端末
【図１】
2005122544.tif 000003
【図２】
2005122544.tif 000004
【図３】
2005122544.tif 000005
【図４】
2005122544.tif 000006
【図５】
2005122544.tif 000007